(57)【特許請求の範囲】
【請求項１】
天板を脚で支持してなる机本体の背面に、平面視で天板の外側に位置する受け手段を設け、この受け手段により、パネルのように天板よりも高い部位に位置する付属品を倒れ不能に支持して成る机装置であって、
前記受け手段は、机本体における背面の左右端部に固定された左右の中空状支柱を上下複数本の横フレームで連結してなる枠組みである一方、前記付属品は、前記支柱に接続された左右の支持フレームに取付けられており、前記左右支持フレームは支柱と同じ断面形状であり、前記左右支持フレームに、前記支柱の内部に上方から嵌まり込む足部を設けている、
机装置。
【請求項２】
前記付属品はパネルであって、前記支持フレームとパネルとが一体構造になっている、
請求項１に記載した机装置。
【発明の詳細な説明】
【０００１】
【発明の属する技術分野】
本発明は、机装置に関するものである。
【０００２】
【従来の技術】
近年、オフィイスのＯＡ化や効率化に伴って、机に様々の機能を加えることが提案されている。例えば、実公昭５−２０号公報には、机の背面にキャビネットを設けて、キャビネットの後端縁に目隠し用のパネルを取り付けることが記載されている。
【０００３】
他方、実開平１−１５２５３２号公報には、机の天板の左右両側縁に上向き開口の穴を空けて、この穴を利用して、正面視門形のフレームを天板上に固定し、この支持フレームに棚板を設けることが記載されている。
【０００４】
なお、机の背部に目隠し用のパネルを取付ける場合は、一般に、パネルの側端面と天板の側端面とに重なる側面視Ｌ形のブラケットを使用して、ねじで固定している。
【０００５】
【発明が解決しようとする課題】
前記実公平５−２０号公報の場合、机の使用者がキャビネット内の物品を取出すには机の内部に身体を屈み込ませなければならないため、物品の出し入れが面倒であり、また、キャビネットが机の後方にはみ出るため、床の使用効率が悪いという問題があった。
【０００６】
他方、実開平１−１５２５３２号公報のように構成すると、物品の出し入れの容易性を損なうことなく、机上を奥行き一杯に使用できる利点がある。しかし、天板に穴を空けてフレームを支持する構成では支持強度に限界があるため、棚の積載量に限度があるという問題があった。
【０００７】
そして、従来は、キャビネットや棚のような一つの付属品しか取り付けることはできず、すなわち単機能に過ぎず、融通性に欠けるという問題もあった。
【０００８】
本発明は、これらの問題を解消することを目的とするものである。
【０００９】
【課題を解決するための手段】
前記問題を解決するため請求項１の発明は、天板を脚で支持してなる机本体の背面に、平面視で天板の外側に位置する受け手段を設け、この受け手段により、パネルのように天板よりも高い部位に位置する付属品を倒れ不能に支持して成る机装置において、前記受け手段は、机本体における背面の左右端部に固定された左右の中空状支柱を上下複数本の横フレームで連結してなる枠組みである一方、前記付属品は、前記支柱に接続された左右の支持フレームに取付けられており、前記左右支持フレームは支柱と同じ断面形状であり、前記左右支持フレームに、前記支柱の内部に上方から嵌まり込む足部を設けている。
【００１０】
請求項２の発明は、請求項１において、前記付属品はパネルであって、前記支持フレームとパネルとが一体構造になっている。
【００１１】
【発明の作用・効果】
本発明では、机装置が天板の外側に広がることは殆どないため、例えば棚やキャビネットのような大きな付属品を受け手段で支持する場合でも、スペースを有効利用することができる。また、受け手段で棚やキャビネットを支持する場合、それら棚やキャビネットは天板の上方に位置しているため物品の出し入れを簡単に行える。
【００１２】
また、机本体とは別の受け手段で支持するものであるため、受け手段を頑丈な構造とすることができ、その結果、キャビネットのような重量のあるものも支持することができる。更に、一つの受け手段を使用して、パネルを初めとした様々の付属品を取り付けることができ、融通性が高い。
【００１３】
更に、本願発明では、支柱と横フレームとで枠組みが構成され、これによって机本体を補強するため、机装置全体としての強度を格段に向上できる利点である。
【００１４】
【発明の実施形態】
次に、本発明の実施形態を図面に基づいて説明する。
【００１５】
(1).第１実施形態（図１〜図５）
図１〜図５では第１実施形態を示しており、このうち図１は机装置を組み立てた状態の斜視図、図２は分離斜視図である。
【００１６】
この図１及び図２に示すように、机装置は、左右の脚２で天板３を支持して成る机本体１を備えており、左右脚２の背面に、受け手段を構成する中空角形の支柱４が取付けられている。
【００１７】
支柱４は上下２本の横フレーム５で一体に連結されている。換言すると、支柱４と横フレーム５とで枠組が構成されている。このような枠組構造にすると、机本体１を補強して、全体として頑丈な構造になる利点がある。本例では支柱４と床との間に大きな間隔が空いているが、支柱４を床の近くまで延ばし、アジャスターボルトで支持しても良い（コード類・ケーブル類を通すためには、支柱４と床との間に間隔が空いているのが好ましい）。
【００１８】
支柱４を脚２に取り付ける方法としては、例えば、脚２と支柱４とにそれぞれ係合穴６を形成しておき、これら両方の係合穴に嵌まる爪部を備えた係止金具（図示せず）を使用したり、或いは、ねじで固定するなど、様々の方法を採用できる。場合によっては、脚２に予め溶接等によって一体に固着しておくことも可能である。
【００１９】
各支柱４の上面と天板３の上面とは同一面を成しており、両支柱４に、当該支柱４と同一断面形状に形成した支持フレーム７を上方から接続している。すなわち、支持フレーム７に足部７ａを設けて、この足部７ａを支柱４に差し込むことにより、支持フレーム７を支柱４に接続している。なお、足部７ａに相当する部位を別部材として、これを支柱４と支持フレーム７との両方に差し込むようにしても良い。
【００２０】
左右支持フレーム７に対して表裏両側からパネル８を取付けている。パネル８と支持フレーム７との上面は笠木９で覆われている。更に、左右支柱４の後面には後幕板１０を取付けている。
【００２１】
図３〜図５では、パネル８の構造と取付け手段の一例を示している。図３はパネル８の裏面図、図４は分離斜視図、図５は組み立て状態での図３のＶ−Ｖ視断面図である。
【００２２】
本例のパネル８は金属板からなっており、四周をコ字状に折り返して浅い箱状に形成している。このため、側板８ａと後板８ｂが形成されている。各コーナー部において、隣合った後板８ｂを部分的に切除することにより開放部１１を形成している。また、折り曲げ加工を容易にするため、各コーナー部における隣合った側板８ａ間には切欠き１２が形成されている。
【００２３】
パネル８におけるコーナー部の内側部位には、前記切欠き１２と開放部１１とを塞ぐコーナー部材１３が嵌合している。このコーナー部材１３は合成樹脂製であり、前記開放部１１を埋めるためのブロック部１４と、パネル８の裏面に当接可能な平板１５と、前記切欠き１２を埋めるための突起部１６とを一体に連接した形状になっている。
【００２４】
パネル８の各コーナー部には、更に、上下一対ずつの係止部材１７，１８を嵌着している。上下係止部材１７，１８は、前記したコーナー部材１３における平板１５とパネル８の後板８ｂとの間に挟み込まれている。上下係止部材１７，１８には、コーナー部材１３におけるブロック部１４の背面に当接する平板状の支持爪１９が形成されている。
【００２５】
上下係止部材１７，１８においてパネル８の後板８ｂと重なり合う部位には穴２０が空いており、この穴２０に対して、パネル８における後板８ｂのカシメ部２１をかしめ込むことにより、係止部材１７，１８とコーナー部材１３とをパネル８に対して離脱不能に固定している。
【００２６】
更に、上係止部材１７には上向き鉤状の上係止爪２２が、下係止部材１８には下向き鉤状の係止爪２３が一体に形成されている。他方、支持フレーム７には、パネル８における上下係止爪２２，２３に対応した上下係合穴２４，２５が空いている。なお、符号２６で示すのは目地部材である。
【００２７】
図５から容易に理解できるように、パネル８をやや傾けた状態にした下係止爪２３を下係合穴２５に嵌め入れてから、パネル８を支持フレーム７に押し付けて、上係止爪２２を上係合穴２４に弾性に抗して嵌め込むことにより、パネル８をワンタッチ的に取付けることができる。取り外しは逆の手順で簡単に行える。
【００２８】
後幕板１０もパネル８と同様の手段で支柱４に取付けている。
【００２９】
上記の構成に代えて、パネル８の後板８ｂに上下一対ずつの鉤形係止爪を切り起こし形成して、これを支持フレーム７の上下係合穴２４，２５に落とし込むなどしても良い。パネル８は金属板製には限らず、合板製等の他の素材製でも良いことは言うまでもない。
【００３０】
本例では、支持フレーム７の表裏両方にパネル８を取付けているが、例えば机装置を背中合わせに配置する場合など、美観上の事情が許せば、前面だけに取付けることも可能である。
【００３１】
(2).第２〜第３実施形態（図６〜図７）
図６に示す実施形態では、支柱４に接続した支持フレーム７に対して、上方から別の支持フレーム７を挿入して、これにパネル８を取付けている。
【００３２】
本願発明では、このような継ぎ足し式を極めて容易に行える。言うまでもないが、支持フレーム７の長さ（高さ）は必要に応じて設定することができ、同じ長さである必要はない。
【００３３】
図７では、パネル８を左右支持フレーム７の間に納めた状態に配置している。この場合は、予めパネル８と支持フレーム７とを組み立ててから、支持フレーム７の足部７ａを支柱４（又は下方の支持フレーム）に挿入することになる。
【００３４】
支持フレーム７とパネル８との結合手段として、例えばパネル８の側面に下向き鉤状の係止爪８を設けておき、これを支持フレーム７の係合穴に落とし込むなどすれば良い。或いは、支持フレーム７とパネル８とを一体構造としておくことも可能である。
【００３５】
(3).第４実施形態（図８）
図８では第４実施形態を示している。この実施形態では、支持フレーム７の前面に、多数の係止溝穴３０が形成された補強フレーム３１を固定し、この補強フレーム３１で棚３２を支持している。
【００３６】
また、パネル８は上下に分離しており、その境目に設けた係止溝３３を利用して、軽量物載置用のブラケット３４を取付けている。
【００３７】
このように、本発明によると、棚３２を設けることが簡単に行える。なお、棚３２は補強フレーム３１の上端部のみに固定的に設けても良い。
【００３８】
(4).第５実施形態（図９〜図12）
図９に示す第５実施形態では、補強フレーム３１の上端にキャビネット３５を設けている。また、机本体１は平面視でＬ字状に形成されており、幅広の側面箇所にはパネル８を装着している。
【００３９】
側面箇所のパネル８の装着は、支柱４と支持フレーム７とを使用した本願の構成を使用して装着しても良いし、他の方法で取付けても良い。
【００４０】
この例から容易に理解できるように、本発明によると、天板３の上方に空間に、相当の収納量を有するキャビネット３５を設置することができる。このため、スペースの使用効率を著しく向上することが可能となる。また、机の使用者は立ち上がるだけで即座にキャビネット３５内の資料等を取り出せるため、多くの資料類を必要とする職務の場合、特に重宝である。
【００４１】
図９では、キャビネット３５を開閉する手段として二つ折り状の跳ね上げ式扉３６を採用しているが、図１０に示すように、複数の引き戸３７で塞ぐようにしたり、図１１に示すように、間口の半分だけの横幅寸法の１枚の引き戸３８のみを設けて常に半分は開いている状態にしたり、或いは、図１２に示すようにシャッター式扉３９としたりするなど、様々の開閉構造を採用することができる。
【００４２】
(5).第６実施形態（図13）
図１３では第６実施形態を示しており、この例では脚２は広幅板状に形成されている。
【００４３】
そして、机本体１の背面箇所に左右支柱４を設けて、これでバックパネル８を支持することに加えて、脚２の前後両端部にそれぞれサイド支柱４ａを固定し、これらサイド支柱４ａによってサイドパネル８を支持し、３枚のパネル８ａによって棚板４０を支持している（図示していないが、棚板４０はブラケットによって高さ調節自在に支持するのが好ましい）。
【００４４】
このように構成すると、従来の間仕切りが不要となるため、レイアウトの自由性を向上させることができる。
【００４５】
【００４６】
【００４７】
【００４８】
【図面の簡単な説明】
【図１】第１実施形態に係る机装置の斜視図である。
【図２】分離斜視図である。
【図３】パネルの裏面図である。
【図４】パネルと付属品の分離斜視図である。
【図５】図３のＶ−Ｖ視断面図である。
【図６】第２実施形態を示す図である。
【図７】第３実施形態を示す図である。
【図８】第４実施形態を示す図である。
【図９】第５実施形態を示す図である。
【図10】第５実施形態の変形例である。
【図11】第５実施形態の変形例である。
【図12】第５実施形態の変形例である。
【図13】第６実施形態の変形例である。
【符号の説明】
１  机本体
２  脚
３  天板
４  支柱
７  支持フレーム
８  パネル
１０  後幕板
３１  補強フレーム
３２  棚
【図１】
0003696460.tif 000002
【図２】
0003696460.tif 000003
【図３】
0003696460.tif 000004
【図４】
0003696460.tif 000005
【図５】
0003696460.tif 000006
【図６】
0003696460.tif 000007
【図７】
0003696460.tif 000008
【図８】
0003696460.tif 000009
【図９】
0003696460.tif 000010
【図１０】
0003696460.tif 000011
【図１１】
0003696460.tif 000012
【図１２】
0003696460.tif 000013
【図１３】
0003696460.tif 000014